(57)【特許請求の範囲】
【請求項１】
主同期コードを発生させて予め設定された探索フレームの間、前記主同期コードと基地局から伝送された信号との相関を求めて最大値の位置を選択する主同期コード探索モジュールと、
副同期コードを構成する拡散コードを発生させ、発生された拡散コードで副同期コードを生成するために必要な位相を、前記主同期コード探索モジュールにおいて、探索された最大値に基づき推定した後、前記推定された位相値を利用して前記拡散コードと前記基地局から伝送された信号との相関を取って第１相関値を求める相関モジュールと、
移動局が属するグループ情報によって副同期コードを変調し、前記最大値位置を基準に所定の数のスロットを蓄積し前記蓄積されたスロットそれぞれについて前記相関モジュールで生成した第1相関値をアダマール変換した後に、前記変調された副同期コードとの演算によって決定変数を生成して保存する副同期コード探索モジュールと、
前記生成された決定変数の中で最大値を抽出し、前記抽出された最大値と前記保存されている決定変数のうちの前記最大値と一致する値の個数をカウントして、前記カウントした値とスロット同期とコードグループの獲得の可否を判別するための基準値として予め決められたシステム決定値との大きさを比較してスロット同期とコードグループの獲得の可否を判別する比較及び判別モジュールと、及び
スロット同期とコードグループが獲得されたと判別される場合、前記獲得されたコードグループ内のミドアンブルコードと前記基地局から伝送された信号との相関を取って第２相関値を算出し、前記算出された第２相関値に基づいて基地局を決定する基地局決定モジュールと
を含むことを特徴とする時分割デュプレックスシステムにおける移動局のセル探索システム。
【請求項２】
前記基地局決定モジュールで基地局が決定されれば、ミドアンブルによるスクランブルコードを探索して無線チャネルを復調するチャネル復調モジュールを含むことを特徴とする請求項１に記載の時分割デュプレックスシステムにおける移動局のセル探索システム。
【請求項３】
前記主同期コード探索モジュールは、
主同期コードを発生させる主同期コード発生部と、
前記主同期コード発生器で発生する主同期コード値を探索フレームの間ローディングし、各ローディングされた主同期コード値と前記受信信号とを整合して探索フレームの間一定の個数の出力値を出力する整合部と、及び
前記整合部から出力される出力値を比較して最大値位置を検出する第１比較部と
を含むことを特徴とする請求項１に記載の時分割デュプレックスシステムにおける移動局のセル探索システム。
【請求項４】
前記相関モジュールは、
前記主同期コードから副同期コードの復調のための位相を推定する位相推定部と、
副同期コードを構成する拡散コードを発生する副同期コード発生部と、及び
前記主同期コード探索モジュールの最大値位置と前記相関モジュールで推定された位相値を利用して前記副同期コード発生部の拡散コードと受信信号との相関を取って第１相関値を検出しその第１相関値を部分蓄積する第１相関部と
を含むことを特徴とする請求項１に記載の時分割デュプレックスシステムにおける移動局のセル探索システム。
【請求項５】
前記副同期コード探索モジュールは、
前記相関モジュールの相関値をアダマール変換出力するアダマール変換部と、
前記移動局が属するグループ情報によって変調された副同期コードが保存されたコードセル保存部と、
前記アダマール変換部の出力値と前記コードセル保存部の変調された副同期コード値とを演算して決定変数を生成する演算部と、
前記主同期コード探索モジュールで選択した最大値位置を基準に探索フレーム当り同期チャネルによって決定されるＭスロットを蓄積する蓄積部と、及び
前記蓄積部のＭスロットそれぞれの決定変数を大きさ順に決められたバッファーの大きさほど保存する比較保存部と
を含むことを特徴とする請求項１に記載の時分割デュプレックスシステムにおける移動局のセル探索システム。
【請求項６】
前記比較及び判別モジュールは、
前記副同期コード探索モジュールによる決定変数の中で最大変数値を検出する検出部と、
前記副同期コード探索モジュールに保存されている値と前記検出部の最大変数値を比較して一致する値をカウントする第２比較部と、及び
前記第２比較部でカウントした値とシステム決定値との大きさを比較してスロット同期とグループ獲得の成功の可否を判別する判別部と
を含むことを特徴とする請求項１に記載の時分割デュプレックスシステムにおける移動局のセル探索システム。
【請求項７】
前記基地局決定モジュールは、
前記比較及び判別モジュールでスロット同期とグループの獲得が成功した場合に、グループ内ミドアンブルコードを発生するミドアンブルコード発生部と、
前記ミドアンブルコード発生部によるミドアンブルコードと受信信号との相関を取って第２相関値を出力する第２相関部と、及び
前記相関部の第２相関値の中で最大値を検出して移動局が属する基地局を決定する最大値検出部と
を含むことを特徴とする請求項１に記載の時分割デュプレックスシステムにおける移動局のセル探索システム。
【請求項８】
前記比較及び判別モジュールはスロット同期とグループの獲得が失敗した場合に、前記主同期コード探索モジュールに再探索遂行命令を伝送することを特徴とする請求項１に記載の時分割デュプレックスシステムにおける移動局のセル探索システム。
【請求項９】
基地局から伝送された信号を受信して予め設定された探索フレームの間に主同期コードと相関させて主同期コードを探索して予め設定された探索フレームの間の最大値の位置を選択する第１段階と、
前記第１段階で選択した第１最大値の位置から所定の数のスロットを抽出し、各スロットについて決定変数を生成して保存する第２段階と、
前記第２段階で蓄積された決定変数の中で最大値を選択し、前記保存された決定変数値のうちの前記最大値と同一な大きさを有する決定変数の数をカウントする第３段階と、
前記第３段階でカウントされた値とスロット同期およびコードグループの獲得の可否の判断のために予め設定されたシステム決定値との大きさを比較してスロット同期及びグループ獲得の成功の可否を決定する第４段階と、及び
スロット同期及びコードグループの獲得が成功したと判断された場合に、前記獲得されたコードグループからミドアンブルコード探索し、前記探索されたミドアンブル信号と前記基地局から伝送された信号の相関値に基づいて基地局を決定する第５段階と
を含むことを特徴とする時分割デュプレックスシステムにおける移動局のセル探索方法。
【請求項１０】
前記第４段階でスロット同期及びグループ獲得が失敗した場合に、主同期コードの再探索を遂行する第６段階を含むことを特徴とする請求項９に記載の時分割デュプレックスシステムにおける移動局のセル探索方法。
【請求項１１】
前記第４段階は、
前記第３段階でカウントされた値がシステム決定値以上である場合に、スロット同期及びグループ獲得が成功したと判断し、前記第３段階でカウントされた値がシステム決定値未満である場合に、スロット同期及びグループ獲得が失敗したと判断することを特徴とする請求項９に記載の時分割デュプレックスシステムにおける移動局のセル探索方法。
【請求項１２】
前記第５段階は、
前記ミドアンブルコードを利用してスクランブルコードを把握し、前記スクランブルコードを通じて無線チャネルを復調する段階を含むことを特徴とする請求項９に記載の時分割デュプレックスシステムにおける移動局のセル探索方法。
【請求項１３】
前記無線チャネルを復調する段階は、
前記復調された無線チャネルの周期的冗長検査（Cyclic Redundancy Check、CRC）を遂行してエラーの存在有無を確認する段階と、及び
前記段階でエラーが存在する場合に、主同期コード探索を再遂行し、前記エラーが存在しない場合に、基地局探索が成功的に遂行されて探索終了を決定する段階と
を含むことを特徴とする請求項１２に記載の時分割デュプレックスシステムにおける移動局のセル探索方法。
【発明の詳細な説明】
【０００１】
【発明が属する技術分野】
本発明は時分割デュプレックスシステムにおける移動局のセル探索システム及びその方法に関し、より詳しくはシステム（セル探索システム）において臨界値設定なく初期同期獲得のために副同期コードを探索した後、確認モードを設定して初期同期獲得時間を減少させるための時分割デュプレックスシステムにおける移動局のセル探索システム及びその方法に関する。
【０００２】
時分割デュプレックス（Time Division Duplex、TDD）方式は、一つの周波数で送信と受信ができる技術を使用する。ここで、時分割デュプレックスは長さ１０msecのフレームを１５個の時間スロットに分けて、多数の使用者が共有する時分割多重接続技術を利用し、一つの時間スロットを多数の使用者が共同使用できるように、符号分割多重接続技術を使用するＩＭＴ-２０００用無線接続規格の一つである。
【０００３】
【従来の技術】
このような時分割デュプレックス方式は、各スロット別に送受信の方向を柔軟に決定して使用することにより、インターネットなどの非対称性を有するデータサービスを周波数観点で効率的に提供することができるという長所がある。
【０００４】
図１は、一般的な時分割デュプレックスシステムに用いる同期チャネルのデータ構造を示さす図面である。
【０００５】
時分割デュプレックスシステムでは、移動局の初期同期探索のために基地局が図１に示されているように各フレームに同期チャネルを伝送する。
【０００６】
ここで、図１に示された同期チャネル構造は時分割デュプレックスシステムの規格として決められた方式の中の一例であって、同期チャネルは主同期コード（Primary Synchronization Code、ＰｓC）と副同期コード（Secondary Synchronization Code、SSC）に区別されており、フレーム毎に決められた２スロットに各々コード長チップ２５６を有する一つの主同期コードと３つの副同期コードを伝送する。
この時、１フレームは１０ｍｓ、１５スロットで構成され、主同期コードと副同期コードのコード電力は各々Ｐｐ、Ｐｓである。
【０００７】
図２は、図１の同期チャネルを構成するコード構造の実例を示す図面である。
図２は、主同期コード（Cp）と副同期コード（Cs）とのコード構造を示し、同期チャネルの位置はフレーム毎に２スロットの同期チャネルが伝送される場合に最初同期チャネルの始めをｋスロットとすれば、その位置は{ｋ、ｋ+８、ｋ+１５、ｋ+２３}スロットになる。
【０００８】
副同期コードは長さ２５６アダマール（Hadamard）シーケンスと長さ８のコードＡ={１，１，１，１，１，１，-１，-１}とＢ={１，-１，１，-１，１，-１，-１，１}の組み合わせで構成された長さ２５６コードとの積から長さ２５６コードごとに{±１、±ｊ}が変調されて構成される。
【０００９】
副同期コードは一般化した階層的ゴレイコード（Generalized Hierarchical Golay Code、GHG）を使用し、コードの構成は図２に示されているようにＡ、Ｂの組み合わせで構成される。
【００１０】
表１および表２には、グループとスロットによって変調された副同期コードの一例が示されている。３つの副同期コードが{±１、±ｊ}に変調されており、図１のようにフレーム毎に二回伝送され、２フレームごとに同一の副同期コードが繰り返される。
【００１１】
【表１】
0003955520.tif 000002
【００１２】
【表２】
0003955520.tif 000003
【００１３】
図３は、従来技術の１例で、時分割デュプレックスシステム移動局のセル探索方法を示すフローチャートである。
【００１４】
図３に示すように、移動局が同期チャネルを受信すると（Ｓ１）、移動局は整合器を使用して主同期コードを探索し、その最大値の位置を検出する（Ｓ２）。
【００１５】
そして、最大値の位置がシステムで既に決められている第１臨界値を超えているか否かを判断する（Ｓ３）。最大値の位置が第１臨界値を超えない場合には再び主同期コードを探索するが、最大値の位置が第１臨界値を超える場合には最大値の位置を同期チャネルの現在位置に決定する（Ｓ４）。
【００１６】
このように決められた同期チャネルの位置と副同期コードとを利用して、移動局は、自身が属する基地局のグループとスロット境界、フレーム内の同期チャネルの位置のような情報を探索する（Ｓ５）。
【００１７】
移動局は自身が属するグループ情報を利用して予め決められている４つのミドアンブルコードとスクランブルコードが分かり（Ｓ６）、このような４つのミドアンブルコードを探索して最大ミドアンブルコードを選択した後、最大のミドアンブルコードがシステムで既に決められている第２臨界値を超えているかどうかを判断する（Ｓ７）。
【００１８】
最大のミドアンブルコードが第２臨界値を超える場合に、移動局は自身が属する基地局を獲得したと判断し、前記に選択されたミドアンブルコードからスクランブルコードを把握してスクランブルコードから無線チャネルを復調する（Ｓ８）。
【００１９】
【発明が解決しようとする課題】
しかし、最大のミドアンブルコードが第２臨界値を超えない場合に、移動局は自身が属する基地局獲得に失敗したと判断して主同期コードを再び探索する（Ｓ９）。
【００２０】
このような移動局の基地局探索方式は、基地局から伝送した信号を移動局が受信する時、チャネル環境によって受信信号の大きさの変化が激しいため、主同期コード探索の臨界値を正確に設定するのが難しいという問題点がある。
【００２１】
このように主同期コード探索の臨界値を正確に設定することが難しいために主同期探索の臨界値によってフォルスアラーム（False alarm）や不良検出確率が増加し、セル探索時間が増加するという問題点がある。
【００２２】
本発明は前記のような問題点を解決するためのものであって、本発明の目的は、移動局による基地局探索時にシステムの臨界値設定なく副同期コードを探索した後、確認モードを実行して同期有無を判断することによって、基地局探索時間を減らすような時分割デュプレックスシステムにおける移動局のセル探索システム及びその方法を提供することにある。
【００２３】
【課題を解決するための手段】
前記目的を実現しようとする本発明においては、時分割デュプレックスシステムにおける移動局のセル探索システムの特徴は、基地局の伝送信号に対する受信信号と発生する主同期コードとを利用して決められた探索フレームの受信中に主同期コードを探索し、前記主同期コードと各フレーム値を比較して最大値の現在位置を選択する主同期コード探索モジュール;前記主同期コード探索モジュールで探索した主同期コードから副同期コードの復調のために必要な位相を推定した後、前記推定された位相値と主同期コード探索モジュールで選択した最大値位置を利用して、前記受信信号と副同期コード構成用コードの相関を取って第１相関値を獲得する相関モジュール;前記相関モジュールの第１相関値を利用して決定変数を生成し、前記最大値位置を基準にＭスロットを蓄積しＭスロットそれぞれの決定変数を大きさ順に決められたバッファーの大きさほど整列して保存する副同期コード探索モジュール;前記副同期コード探索モジュールの決定変数の中で最大変数値を検出し、前記最大変数値と前記副同期コード探索モジュールに保存されている値を比較して一致する値をカウントした後、前記カウントした値とシステムで予め決められたシステム決定値との大きさを比較してスロット同期とグループ獲得の成功の如何を判別する比較及び判別モジュール;及び前記比較及び判別モジュールの判別結果によって発生するグループ内ミドアンブルコードと受信信号との相関を取って第２相関値を算出し、前記第２相関値の中で最大値を選択して基地局を決定する基地局決定モジュールを含むことである。
【００２４】
前記基地局決定モジュールで基地局が決定されれば、ミドアンブルによるスクランブルコードを探索して無線チャネルを復調するチャネル復調モジュールを含むことが望ましい。
【００２５】
前記主同期コード探索モジュールが、主同期コードを発生させる主同期コード発生部;前記主同期コード発生器で発生する主同期コード値を探索フレームの間ローディングし、各ローディングされた主同期コード値と前記受信信号とを整合して探索フレームの間の一定の個数の出力値を出力させる整合部;及び前記整合部から出力される出力値を比較して最大値位置を検出する第１比較部を含むことも望ましい。
【００２６】
前記相関モジュールが、前記主同期コードから副同期コードの復調のための位相を推定する位相推定部;副同期コードを構成する拡散コードを発生する副同期コード発生部;及び前記主同期コード探索モジュールの最大値位置と前記相関モジュールで推定された位相値を利用して前記副同期コード発生部の拡散コードと受信信号との相関を取って第１相関値を検出し、その第１相関値を部分蓄積する第１相関部を含むことも望ましい。
【００２７】
前記副同期コード探索モジュールが、前記相関モジュールの相関値をアダマール変換出力するアダマール変換部;移動局が属するグループ情報によって変調された副同期コードが保存されたコードセル保存部;前記アダマール変換部の出力値と前記コードセル保存部の変調された副同期コード値を演算して決定変数を生成する演算部;前記主同期コード探索モジュールで選択した最大値位置を基準に探索フレーム当り同期チャネルによって決定されるＭスロットを蓄積する蓄積部;及び前記蓄積部のＭスロットそれぞれの決定変数を大きさ順に決められたバッファーの大きさほど保存する比較保存部を含むことも望ましい。
【００２８】
前記比較及び判別モジュールが、前記副同期コード探索モジュールによる決定変数の中で最大変数値を検出する検出部;前記副同期コード探索モジュールに保存されている値と前記検出部の最大変数値を比較して一致する値をカウントする第２比較部;及び前記第２比較部でカウントした値とシステム決定値との大きさを比較してスロット同期とグループ獲得の成功の如何を判別する判別部を含むことも望ましい。
【００２９】
前記基地局決定モジュールが、前記比較及び判別モジュールでスロット同期とグループの獲得に成功した場合に、グループ内ミドアンブルコードを発生するミドアンブルコード発生部;前記ミドアンブルコード発生部によるミドアンブルコードと受信信号との相関を取って第２相関値を出力する第２相関部;及び前記相関部の第２相関値の中で最大値を検出して移動局が属する基地局を決定する最大値検出部を含むことも望ましい。
【００３０】
前記比較及び判別モジュールが、スロット同期とグループの獲得が失敗した場合に、前記主同期コード探索モジュールに再探索遂行命令を伝送することも望ましい 。
【００３１】
また、本発明によれば、時分割デュプレックスシステムにおける移動局のセル探索方法の特徴は、移動局が電源をつければ移動局が属する基地局を探索し、決められた探索フレームの間に主同期コードを探索して探索フレームの間の最大値の位置を選択する第１段階;前記第１段階で選択した第１最大値の位置からＭスロットを抽出し、移動局はＭスロットの間に副同期コードを探索して蓄積した後、スロット当り大きさ順に決められたバッファーの大きさほど整列して保存する第２段階;前記第２段階で蓄積された副同期コード値の中で最大変数値の位置を選択し、前記最大辺数値の位置が大きさ順に整列されたＭスロット内に一致する位置をカウントする第３段階;前記第３段階でカウントされた値とシステムで既に決められたシステム決定値との大きさを比較してスロット同期及びグループ獲得の成功の可否を決定する第４段階;及び前記第４段階でスロット同期及びグループ獲得が成功した場合に、副同期コード探索によって決められたグループからミドアンブルコード探索し、その中で最大値を検出することによって基地局を決定する第５段階を含むことである。
【００３２】
前記第４段階でスロット同期及びグループ獲得が失敗した場合に、主同期コードの再探索を遂行する第６段階を含むことが望ましい。
【００３３】
前記第４段階が、前記第３段階でカウントされた値がシステム決定値以上である場合にスロット同期及びグループ獲得が成功したと判断し、前記第３段階でカウントされた値がシステム決定値未満である場合にスロット同期及びグループ獲得が失敗したと判断することも望ましい。
【００３４】
前記第５段階が、前記ミドアンブルコードを利用してスクランブルコードを把握し、前記スクランブルコードを通じて無線チャネルを復調する段階を含むことも望ましい。
【００３５】
前記無線チャネルを復調する段階が、前記復調された無線チャネルの周期的冗長検査（Cyclic Redundancy Check、CRC）を遂行してエラーの存在有無を確認する段階及び前記段階でエラーが存在する場合に主同期コード探索を再遂行し、前記エラーが存在しない場合に基地局探索が成功的に遂行されて探索終了を決定する段階を含むことも望ましい。
【００３６】
【発明の実施の形態】
以下、添付した図面を参照して本発明が属する技術分野における通常の知識を有する者が本発明を容易に実施できる好ましい実施例を詳細に説明する。
【００３７】
ＩＭＴ-２０００広帯域時分割デュプレックスモードは全ての基地局が互いに異なるスクランブル（Scramble）コードを使用する。このように基地局が互いに異なるスクランブルコードを使用する場合、移動局の初期同期獲得に要する時間を短縮するために広帯域時分割デュプレックスモードでは同期チャネルを使用する。
【００３８】
同期チャネルを使用する場合、移動局は同期コードを探索して自身が属すべき基地局のグループとスロット同期を獲得し、グループ内のミドアンブル（Midamble）コードを探索することによって自身が属する基地局を決定する。
【００３９】
図４は、本発明による実施例として、時分割デュプレックスシステムにおける移動局に内蔵される基地局探索システム（セル探索システム）の構成を示したブロック図である。
【００４０】
図４に示すように、本発明による実施例のシステムは、主同期コード探索モジュール１００、位相推定部２００、相関モジュール３００、副同期コード探索モジュール４００、比較及び判別モジュール５００、基地局決定モジュール７００、チャネル復調モジュール８００を含む。
【００４１】
主同期コード探索モジュール１００は、予め決められたＬ個の探索フレームを受信している間に主同期コードを探索し、主同期コードと各フレーム値を比較して最大値の出現位置（P_max）を選択し、位相推定部２００は主同期コード探索モジュール１００による主同期コードから{±１、±ｊ}に変調されている副同期コードの復調のために必要な位相を推定する。
【００４２】
そして、相関モジュール３００は主同期コード探索モジュール１００が選んだ最大値位置（P_max）と位相推定部２００で推定された位相値を利用して受信信号と副同期コード構成用コードとの相関を計算して第１相関値を獲得する。
【００４３】
また、副同期コード探索モジュール４００は相関モジュール３００の第１相関値を利用して決定変数を生成し、前記最大値位置（P_max）を基準にＭスロットを蓄積しＭスロットそれぞれの決定変数を大きさ順に決められたバッファーサイズまで整列して保存する。
【００４４】
比較及び判別モジュール５００は副同期コード探索モジュール４００の決定変数の中で最大変数値（D_max）を検出し、前記最大変数値（D_max）と副同期コード探索モジュール４００に保存されている保存値を比較して値が一致する場合をカウントし、判別部６００は比較及び判別モジュール５００でカウントした値とシステムで予め決められたシステム決定値の大きさを比較してスロット同期とグループ獲得の成功の如何を判別する。
【００４５】
基地局決定モジュール７００は判別部６００の判別結果によって発生するグループ内ミドアンブルコードと受信信号との相関を取って第２相関値を算出し、前記第２相関値の中で最大値を与える基地局を選択する。そして、チャネル復調モジュール８００は基地局決定モジュール７００で基地局が決定されれば、ミドアンブルによるスクランブルコードを探索して無線チャネルを復調する。
【００４６】
主同期コード探索モジュール１００は主同期コードを発生させる主同期コード発生部１１０と、主同期コード発生部１１０で発生する主同期コード値をフレーム探索の間に全てローディングし、各ローディングされた主同期コード値と前記受信信号を整合させてＬ個のフレーム値を出力する整合部１２０、整合部１２０から出力されるフレーム値を比較して最大値位置（P_max）を検出する第１比較部１３０を含む。
【００４７】
この時、最大値の位置（P_max）は、例えばフレーム当り２スロットを用いて同期チャネルを伝送していて、２フレーム（L=2）を探索するとすれば、２フレームの間に合計４つの主同期コードが存在し、主同期コードの同期を正確に獲得した場合に４つの主同期コードの位置の中で、一つだけが選ばれて最大値出現位置を与える。
【００４８】
相関モジュール３００は副同期コードを構成する{Ａ，Ｂ}コード、つまり、拡散コードを発生する副同期コード発生部３１０、及び第１比較部１３０の最大値位置（P_max）と位相推定部２００で推定された位相値を利用して副同期コード発生部３１０の拡散コードと受信信号との相関を取って第１相関値を検出し、その第１相関値を部分蓄積する第１相関部３２０を含む。
【００４９】
副同期コード探索モジュール４００は第１相関部の第１相関値を長さ１６として高速アダマール変換し１６個の出力値を出力するアダマール変換部４１０、グループとスロットとを区別するために用いられる副同期コードが移動局が属するグループ情報によって変調されて保存されたコードセル保存部４２０、アダマール変換部４１０の出力値とコードセル保存部４２０の変調された副同期コード値を掛け算及びたし算演算して決定変数を生成する演算部４３０、第１比較部１３０の最大値位置（P_max）を基準に探索フレーム毎に同期チャネルによって決定されるＭスロットを蓄積する蓄積部４４０、及び蓄積部４４０のＭスロットそれぞれについて決定変数を大きさ順に決められたバッファーサイズまでＢ個保存する比較保存部４５０を含む。
【００５０】
ここで、比較保存部４５０は副同期コードを探索するためのＭ個のスロット別に決定変数の大きさ順にＢ個を保存しなければならないので、合計サイズＭ×Ｂのメモリを設定しねければならない。
【００５１】
表１および表２を参考にすれば、副同期コードは１２個{Ｃ０、Ｃ１、Ｃ３、Ｃ４、Ｃ５、Ｃ６、Ｃ８、Ｃ１０、Ｃ１２、Ｃ１３、Ｃ１４、Ｃ１５}である。表１および表２に示された３２グループ、４スロットデータは各々３個の変調された副同期コードを有する。前記副同期コード値をアダマール変換部４１０の１６個の出力値と掛け算及びたし算演算すれば、１２８個の決定変数が生成される。
【００５２】
探索区間が２フレームであり、フレーム毎に同期チャネルが２つ存在する場合にＭ=４となる。受信信号は任意の時間位置から受信開始されるので、Ｌ個の探索フレームの中で最大値位置（P_max）から受信するならば、同期チャネルの位置まではＭ=４の場合に{０、８、１５、２３}または{０、７、１５、２２}スロットである。したがって、Ｍスロットを蓄積する蓄積部４４０で生成される決定変数は１２８+１２８=２５６となる。
【００５３】
比較及び判別モジュール５００は蓄積部４４０による決定変数の中で最大変数値（D_max）を検出する検出部５１０、及び比較保存部４５０に保存されているＢ個の保存値と検出部５１０の最大変数値（D_max）を比較して一致する場合をカウントする第２比較部５２０を含む。
【００５４】
ここで、判別部６００はＭ=４である場合に、システム決定値が{１、２、３、４}の値を有することができるので、第２比較部５２０のカウント値がシステム決定値以上であれば、スロット同期とグループ獲得に成功したことと判断する。
【００５５】
しかし、判別部６００は第２比較部５２０のカウント値がシステム決定値より少なければ、スロット同期とグループ獲得に失敗したものと判断して、主同期コードの再探索遂行命令を主同期コード探索モジュール１００に伝送する。
【００５６】
例えば表１および表２の例では、Ｍスロット蓄積の後、決定変数の中で最大値位置（P_max）に応じて{０、８、１５、２３}スロットを蓄積した３５が最大値を有する場合に、これをグループとスロットに変形すれば８グループ３スロットであることが分かる。
【００５７】
そして、Ｍ=４スロットであり、Ｂ=５であれば、Ｍスロットそれぞれの保存値が最大値位置（P_max）から{０、８、１５、２３}である場合に、Ｍ=１である時、Ｂ={１８、５０、４８、３５、７０}、Ｍ=２である時、Ｂ={１１２、４０、１１０、９３、４３}、Ｍ=３である時、Ｂ={３５、６７、８８、１０、５０}、Ｍ=４である時、Ｂ={８９、１５、４９、１５０、３５}である。
【００５８】
Ｍスロットを蓄積した時の最大値３５が含まれているスロットは、Ｍ=１、３、４となる。したがって、第２比較部５２０のカウント値は３となり、システム決定値が２とすれば、カウント値がシステム決定値より大きいのでスロット同期及びグループを獲得したことと判断する。
【００５９】
基地局決定モジュール７００は判別部６００でスロット同期とグループの獲得が成功した場合に、グループ内ミドアンブルコードを発生するミドアンブルコード発生部７１０、ミドアンブルコード発生部７１０によるミドアンブルコードと受信信号との相関を取って第２相関値を出力する第２相関部７２０、第２相関部７２０の第２相関値の中で最大値を検出して移動局が属する基地局を決定する最大値検出部７３０を含む。
【００６０】
例えば、３２グループ１２８基地局である場合にはグループごとに４つの基地局があるので、グループが決められれば第２相関部７２０が４つのミドアンブルコードの相関を取り、その中で最大値検出部７３０が最大値を選択して移動局が属する基地局を決定することができる。
【００６１】
このように、移動局がミドアンブルコード探索をして移動局が属する基地局を決定した場合、チャネル復調モジュール８００はミドアンブルコードによるスクランブルコードが分かるので無線チャネルを復調できる。
【００６２】
前記のように構成される本発明の実施例による時分割デュプレックスシステムにおける移動局のセル探索システムの動作を添付した図面を参照して詳細に説明する。
【００６３】
図５は、本発明の実施例による時分割デュプレックスシステムで移動局におけるセル探索方法が示されたフローチャートである。
【００６４】
図５に示されているように、本発明の実施例による方法は移動局が電源を接続すれば自身が属する基地局探索を始める（Ｓ１１）。そして、移動局は決められた探索フレーム（Ｌ個のフレーム）の間に主同期コード探索モジュール１００を通じて主同期コード探索を遂行する（Ｓ１２）。
【００６５】
この時、主同期コード探索モジュール１００は主同期コードの探索区間内で最大値の位置（P_max）を選択する（Ｓ１３）。移動局は位相推定部２００と相関モジュール３００を経て副同期コード探索モジュール４００で、主同期コード探索モジュール１００で選択した最大値の位置から副同期コードをＭスロットの間に探索しその値を蓄積し（Ｓ１４）、Ｍスロット当りそれぞれの決定変数を大きさ順に決められたバッファーサイズまでＢ個を整列して保存する（Ｓ１５）。
【００６６】
そして、比較及び判別モジュール５００は、副同期コード探索モジュール４００に蓄積された決定変数の中で最大変数値の位置（D_max）を検出し（Ｓ１６）、最大変数値の位置が大きさ順に整列されたＭスロット内にいくつが位置しているかをカウントする（Ｓ１７）。
【００６７】
次に、判別部６００は比較及び判別モジュール５００でカウントした値がシステムで既に設定されたシステム決定値以上であるか否かを判別する（Ｓ１８）。判別部６００の判別結果がカウント値がシステム決定値未満であれば、再び主同期コード探索から繰返し遂行する。
【００６８】
しかし、判別部６００の判別結果がカウント値がシステム決定値以上であれば、基地局決定モジュール７００は副同期コード探索によって決められたグループからグループ内のミドアンブルコードを探索して最大値を決定する（Ｓ１９）。
【００６９】
前記段階で決定された最大値ミドアンブルコードを通じてスクランブルコードが分かるので、チャネル復調モジュール８００はスクランブルコードを利用し無線チャネルを復調する（Ｓ２０）。
【００７０】
このように復調された無線チャネルは周期的冗長検査（Cyclic Redundancy Check、CRC）を遂行してＣＲＣエラーが存在しているか否かを確認する（Ｓ２１）。この時、移動局は無線チャネルでＣＲＣエラーが存在する場合には再び主同期コード探索を遂行するが、反対に無線チャネルでＣＲＣエラーが存在しない場合には、基地局探索が成功的に遂行されたことと判断して基地局探索を終了する。
【００７１】
したがって、本発明による実施例は移動局が初期同期獲得過程で同期チャネルを探索した後、確認モードを設定して移動局の初期同期獲得時間を短縮させる。
【００７２】
前記図面と発明の詳細な説明は単に本発明の例示的なものであって、これは単に本発明を説明するための目的で用いられたものであり、意味限定や特許請求の範囲に記載された本発明の範囲を制限するために用いられたものではない。したがって、本技術分野における通常の知識を有する者であれば、これから様々な変形及び均等な他の実施例が可能であるという点が理解できるであろう。したがって、本発明の真の技術的保護範囲は特許請求の範囲の技術的思想によって決められるべきである。
【００７３】
【発明の効果】
本発明による時分割デュプレックスシステムにおける移動局のセル探索システム及びその方法は、移動局が基地局探索時にシステムで臨界値を設定することなく副同期コードを探索しエラーの存在有無を確認した後、同期有無を判断して移動局がスロット同期及びグループを獲得できない場合には再び主同期コードを探索し、移動局がスロット同期及びグループを獲得した場合にはミドアンブルコードを探索するようにすることによって受信電力の変化の大きい無線チャネル環境で基地局探索時間を減らすことができる効果がある。
【図面の簡単な説明】
【図１】一般的な時分割デュプレックスシステムに用いる同期チャネルのデータ構造を示す図面である。
【図２】図１の同期チャネルを構成するコード構造の実施例を示す図面である。
【図３】従来技術の実施例による時分割デュプレックスシステムにおける移動局セル探索方法を示すフローチャートである。
【図４】本発明による実例の時分割デュプレックスシステム移動局の基地局探索システムの構成を示すブロック図である。
【図５】本発明の実施例による時分割デュプレックスシステムにおける移動局のセル探索方法を示すフローチャートである。
【符号の説明】
１００  主同期コード接続モジュール
１１０  主同期コード発生部
１２０  整合部
１３０  第１比較部
２００  位相推定部
３００  相関モジュール
３１０  副同期コード発生部
３２０  第１相関部
４００  副同期コード探索モジュール
４１０  アダマール変換部
４２０  コードセル保存部
４３０  演算部
４４０  蓄積部
４５０  比較保存部
５００  比較及び判別モジュール
５１０  検出部
５２０  第２比較部
６００  判別部
７００  基地局決定モジュール
７１０  ミドアンブルコード発生部
７２０  第２相関部
７３０  最大値検出部
８００  チャネル復調モジュール
【図１】
0003955520.tif 000004
【図２】
0003955520.tif 000005
【図３】
0003955520.tif 000006
【図４】
0003955520.tif 000007
【図５】
0003955520.tif 000008